(57)【要約】【課題】列車に搭載され、記憶するコンテンツの容量をトータル的に低減できるた映像情報配信表示システムを得る。【解決手段】各車両に配置された受信表示装置は、案内画面を構成する各情報、すなわち、列車種別１０１、行先１０２、号車番号１０３、駅名１０４、案内種別Ａ１０５及び案内種別Ｂ１０６のそれぞれに対応した部品コンテンツを記憶しており、各車両に配置された列車情報装置から送信される列車情報に応じた案内画面を表示するように構成され、この案内情報を部品コンテンツを用いて構成して、表示パネルに表示するため、部品コンテンツを記憶する記憶部と、部品コンテンツを用いて案内画面を構成する表示制御部と、この表示制御部により構成された案内画面を表示する表示パネルを有している。【選択図】        図４
2004203338.tif 000002
【特許請求の範囲】
【請求項１】
列車を構成する複数の車両のそれぞれに搭載され、相互に連系されて列車情報を管理する複数の列車情報装置、及び上記車両に搭載され、列車情報装置から送信される列車情報に応じた静止画の案内画面を表示する受信表示装置を備え、上記受信表示装置は、上記静止画の案内画面を構成する各情報に対応した部品コンテンツを記憶する記憶部と、上記列車情報装置から送信される列車情報に応じた静止画の案内画面を上記記憶部に記憶された部品コンテンツを用いて構成する表示制御部と、この表示制御部によって構成された静止画の案内画面を表示する表示部とを有することを特徴とした映像配信表示システム。
【請求項２】
上記部品コンテンツの少なくとも一つは、フォント描画されることを特徴とする請求項１記載の映像情報配信表示システム。
【請求項３】
上記車両に搭載され、上記受信表示装置に上記部品コンテンツを配信する映像情報配信装置を備えたことを特徴とする請求項１または請求項２記載の映像情報配信表示システム。
【発明の詳細な説明】
【０００１】
【発明の属する技術分野】
この発明は、列車客室内の乗客に映像情報を提供する映像情報配信表示システムに関するものである。
【０００２】
【従来の技術】
従来の列車搭載映像情報配信表示システムでは、各号車に設けられた受信表示装置によって表示される行先案内などの画面を形成するコンテンツは、各画面毎に各一枚のコンテンツとして受信表示装置の記憶部に記憶されていた。（特許文献１、特許文献２参照）
【０００３】
【特許文献１】
特開２００１−６３５８１号公報（第５〜６頁、図５）
【特許文献２】
特開２００２−１２７９０５号公報（第５頁、図４）
【０００４】
【発明が解決しようとする課題】
上記のような従来の映像情報配信表示システムにおいては、受信表示装置の記憶部に記憶された１枚のコンテンツを表示することで、映像情報を表示させているため、行先案内用のコンテンツは、列車種別、行先、号車番号などが異なるだけでその他は同じコンテンツであっても、１枚のコンテンツとして、受信表示装置の記憶部に保存する必要がある。このため、コンテンツ１枚あたりのデータ容量が大きくなり、システム全体のトータルコンテンツ枚数が多くなるという問題点があった。
【０００５】
また、駅の増設などに対応する場合は、列車種別、行先、号車番号などの共通部分があっても、新規に全体コンテンツとして作成する必要があり、コンテンツの増大を招くといった問題があった。
また、例えば、ロゴマークや「○○年○月現在」の日付情報などを全コンテンツに追記したい場合、これらのロゴマークや日付情報データを全コンテンツに追記しなければならず、コンテンツ修正に莫大な時間と労力が必要となるという問題があった。
【０００６】
また、色使いが細かなコンテンツの場合、受信表示装置の記憶部の容量を考慮すると、ｊｐｅｇデータ等に圧縮して保存する必要があるが、圧縮しても７００ｋバイトを超えるデータ容量になり得るコンテンツが存在する。これらの大容量圧縮コンテンツデータを表示する場合、コンテンツデータを解凍して表示するまでの処理時間が、２〜３秒以上かかる場合があり、この処理時間による表示の遅れが列車乗客に違和感を与えるという問題があった。この問題点に対して、従来のシステムでは、静止画データについては、映像情報配信装置の記憶部だけでなく、表示を行う受信表示装置の記憶部で保存しておき、車両間のデータ伝送時間の短縮を図っているが、それでも上記に述べた処理時間等が必要であり、乗客に表示遅れの違和感を与えるという状況となっている。
【０００７】
この発明は、上記のような課題を解決するためになされたもので、記憶するコンテンツの容量をトータル的に低減できる映像情報配信表示システムを得ることを第一の目的とする。
また、駅設備の増加等に対しても追加コンテンツ容量を極力低減することができる映像情報配信表示システムを得ることを第二の目的とする。
また、ロゴマーク、日付情報データなどを追加する場合のコンテンツ修正を容易に実施できる映像情報配信表示システムを得ることを第三の目的とする。
また、表示遅れの違和感を与えない映像情報配信表示システムを得ることを第四の目的とする。
【０００８】
【課題を解決するための手段】
この発明に係わる映像配信表示システムにおいては、列車を構成する複数の車両のそれぞれに搭載され、相互に連系されて列車情報を管理する複数の列車情報装置、及び車両に搭載され、列車情報装置から送信される列車情報に応じた静止画の案内画面を表示する受信表示装置を備え、受信表示装置は、静止画の案内画面を構成する各情報に対応した部品コンテンツを記憶する記憶部と、列車情報装置から送信される列車情報に応じた静止画の案内画面を記憶部に記憶された部品コンテンツを用いて構成する表示制御部と、この表示制御部によって構成された静止画の案内画面を表示する表示部とを有するものである。
【０００９】
【発明の実施の形態】
実施の形態１．
図１は、この発明の実施の形態１による映像情報配信表示システムを示す全体構成図である。ここでは、複数の車両（１号車〜ｎ号車）で構成される列車を対象としている。
図１において、列車情報装置６０は、各車両に搭載され、列車情報（列車走行位置、各駅のドア開方向）の管理、処理などを行う。そして、各車両の列車情報装置６０は、伝送路１１で接続され、相互に連系して動作する。映像情報配信装置７０は、先頭車両に搭載され、列車内で表示される映像配信情報のうち静止画データＧｂは、伝送路１１を経由して、また、動画データＧａは、伝送路３０を経由して、受信表示装置８０へと出力される。伝送路３０には、分岐装置３１、終端装置３２、増幅装置３３が配置されている。受信表示装置８０は、静止画データＧｂおよび動画データＧａ（図中、矢印で示す）を受信して、後述のように表示する。無線送受信装置５０は、映像情報配信装置７０に接続され、地上局５１から映像配信データなどを無線で入力し、映像情報報配信装置７０に出力する。
【００１０】
図２は、この発明の実施の形態１による映像情報配信表示システムの映像情報配信装置の内部構成を示す図である。
図２において、映像情報配信装置７０の内部構成として、無線送受信装置５０とのインタフェースである通信Ｉ／Ｆ７１と、列車情報装置６０とのインタフェースである通信Ｉ／Ｆ７２と、映像情報を記憶する記憶部７３と、画像処理を行う画像処理部７４と、デジタル・アナログ変換を行うＤ／Ａ変換部７５と、信号変調を行う信号変調部７６と、映像情報配信装置７０を制御するＣＰＵ７７とを有している。
無線送受信装置５０を経由して、あるいは外部よりＣＤ−ＲＯＭなどの記憶媒体９０を経由して入力された映像情報は、一旦記憶部７３に保存される。映像配信情報のうち、静止画データＧｂは、伝送路１１を経由して列車情報装置６０へ出力され、動画データＧａは、画像処理部７４による画像処理後、Ｄ／Ａ変換部７５によりアナログ変換され、信号変調部７６により高周波数域に信号変調され、伝送路３０を経由して出力される。ここで、静止画データＧｂは、後述する部品コンテンツである。
【００１１】
図３は、この発明の実施の形態１による映像情報配信表示システムの受信表示装置の内部構成を示す図である。
図３において、受信表示装置８０は、伝送路３０経由で伝送された動画データＧａを復調する信号復調部８１と、復調された動画データをアナログ・デジタル変換するＡ／Ｄ変換部８２と、映像情報を記憶する記憶部８３と、画像処理を行う画像処理部８４と、映像を表示する表示パネル８５（表示部）と、映像の表示を制御する表示制御部８６と、静止画データの入力インタフェースである通信Ｉ／Ｆ８７と、受信表示装置８０を制御するＣＰＵ８８とを有している。
映像情報配信装置７０から伝送路１１経由で伝送された静止画データＧｂは、部品コンテンツであり、記憶部８３に記憶される。この記憶部８３に記憶された部品コンテンツを表示制御部８６により、静止画の案内画面に構成して、表示パネル８５で表示する。
【００１２】
図４は、この発明の実施の形態１による映像情報配信表示システムの映像表示方法を示す概要図である。
図４では、案内画面を構成する列車種別１０１（日本語、ローマ字）、行先１０２、号車番号１０３、駅名１０４（ひらがな、漢字、ローマ字）、案内種別Ａ１０５、案内種別Ｂ１０６の各情報のコンテンツが、部品レベルで受信表示装置８０の記憶部８３に保存されている。以下、この部品レベルのコンテンツを部品コンテンツという。
図５は、この発明の実施の形態１による映像情報配信表示システムの映像表示シーケンスを示す図である。
【００１３】
次に、動作について説明する。
映像情報配信装置７０は、無線送受信装置５０を経由して、または、ＣＤ−ＲＯＭなどの記憶媒体９０より映像情報データを入力され、内部の記憶部７３に保存される。この映像情報データのうち静止画データＧｂは、部品コンテンツであり、伝送路１１を経由して受信表示装置８０まで伝送され、内部の記憶部８３に保存される。受信表示装置８０には、列車情報装置６０から映像情報の表示に必要な列車情報（列車走行位置、号車番号、列車種別、行先、次駅名、ドア開方向など）が入力され、それぞれの列車情報に対応する静止画の案内画面の表示を行う。
【００１４】
次に、列車情報装置６０からの列車情報に基づく行先案内表示動作を説明する。
図４は、受信表示装置８０によって表示される行先案内表示コンテンツの１例を示したものである。行先案内は、画面上半分と下半分に分けて表示され、上半分表示部では、列車種別１０１、行先１０２、号車番号１０３、駅名（次駅または到着駅）１０４および案内種別Ａ１０５などの表示を行う。また、下半分表示部では、乗換案内、設備案内、所要時間案内、路線案内、優先席マナー案内、禁煙マナー案内、優先席マナー案内などを案内する案内種別Ｂ１０６を表示する。
【００１５】
図４の表示のために、受信表示装置８０は、部品コンテンツを記憶部８３に記憶しており、この部品コンテンツは、容量が小さく、また、この部品コンテンツを数種類の行先案内画面に流用できるため、システム全体としてのコンテンツ容量を低減することができる。
下半分表示部の案内種別Ｂ１０６のコンテンツについても、各コンテンツにおいて、ベースとなるマップ部分や表題部分など列車情報に依存しない部分と、ある駅までの所要時間のような列車情報により変化する部分に分けてコンテンツを部品化することにより、全体のコンテンツ容量を低減している。
【００１６】
次に、図５の受信表示装置８０による映像表示シーケンスについて説明する。
受信表示装置８０には、ステップＳ１で、列車情報装置６０からの列車走行位置２０１、号車番号２０２、列車種別２０３、行先２０４、次駅名２０５、下半分表示部に表示される案内種別Ｂ２０６、ドア開方向２０７などの列車情報が入力され、ステップＳ２以降で、それぞれの列車情報に対応する静止画の案内画面を、部品コンテンツを構成して表示する。すなわち、ステップＳ２で、列車情報により受信表示装置８０内の表示制御部８６では、記憶部８３に保存されている部品コンテンツより対応するものを選択する。さらに、ステップＳ３で、これらの部品コンテンツを組立て構成して、ステップＳ４で、画面に表示する。
この間の処理時間は、コンテンツが部品化されているため、データ容量が小さくなっており、ｊｐｅｇなどの圧縮データを解凍して表示させるための処理時間は、せいぜい１秒以下であり、表示遅延に関して乗客への違和感がない。
また、この部品コンテンツのうち、上半分表示部に表示されるものは、大部分が文字コンテンツであり、これをフォント描画することにより、これらのコンテンツのデータ容量を、映像データで持つ場合に比べてさらに低減することができる。
【００１７】
実施の形態１によれば、コンテンツを部品にして受信表示装置に記憶させ、表示するとき、この部品コンテンツを構成して案内画面を形成するので、データ容量を小さくすることができる。
また、駅設備の増加等に対しても追加コンテンツ容量を極力低減することができる。
また、ロゴマーク、日付情報データなどを追加する場合のコンテンツ修正を容易に実施することができる。
さらに、処理時間が短いので、表示遅れの違和感を与えることがない。
【００１８】
【発明の効果】
この発明は、以上説明したように、列車を構成する複数の車両のそれぞれに搭載され、相互に連系されて列車情報を管理する複数の列車情報装置、及び車両に搭載され、列車情報装置から送信される列車情報に応じた静止画の案内画面を表示する受信表示装置を備え、受信表示装置は、静止画の案内画面を構成する各情報に対応した部品コンテンツを記憶する記憶部と、列車情報装置から送信される列車情報に応じた静止画の案内画面を記憶部に記憶された部品コンテンツを用いて構成する表示制御部と、この表示制御部によって構成された静止画の案内画面を表示する表示部とを有するので、静止画の案内画面を表示するときのデータ容量を小さくすることができ、コンテンツの追加や修正にも容易に対応することができる。
【図面の簡単な説明】
【図１】この発明の実施の形態１による映像情報配信表示システムを示す全体構成図である。
【図２】この発明の実施の形態１による映像情報配信表示システムの映像情報配信装置の内部構成を示す図である。
【図３】この発明の実施の形態１による映像情報配信表示システムの受信表示装置の内部構成を示す図である。
【図４】この発明の実施の形態１による映像情報配信表示システムの映像表示方法を示す概要図である。
【図５】この発明の実施の形態１による映像情報配信表示システムの映像表示シーケンスを示す図である。
【符号の説明】
１１  静止画データの伝送路
３０  動画データの伝送路
３１  分岐装置
３２  終端装置
３３  増幅装置
５０  無線送受信装置
５１  地上局
６０  列車情報装置
７０  映像情報配信装置
７１  通信Ｉ／Ｆ
７２  通信Ｉ／Ｆ
７３  記憶部
７４  画像処理部
７５  Ｄ／Ａ変換部
７６  信号変調部
７７  ＣＰＵ
３１  分岐装置
８０  受信表示装置
８１  信号復調部
８２  Ａ／Ｄ変換部
８３  記憶部
８４  画像処理部
８５  表示パネル
８６  表示制御部
８７  通信Ｉ／Ｆ
８８  ＣＰＵ
９０  記憶媒体
Ｇａ  動画データ
Ｇｂ  静止画データ
１０１  行先案内コンテンツの列車種別
１０２  行先案内コンテンツの行先
１０３  行先案内コンテンツの号車番号
１０４  行先案内コンテンツの駅名
１０５  行先案内コンテンツの案内種別Ａ
１０６  行先案内コンテンツの案内種別Ｂ
２０１  列車情報装置からの列車走行位置
２０２  列車情報装置からの号車番号
２０３  列車情報装置からの列車種別
２０４  列車情報装置からの行先
２０５  列車情報装置からの次駅名
２０６  列車情報装置からの案内種別Ｂ
２０７  列車情報装置からのドア開方向
【図１】
2004203338.tif 000003
【図２】
2004203338.tif 000004
【図３】
2004203338.tif 000005
【図４】
2004203338.tif 000006
【図５】
2004203338.tif 000007